(57)【要約】      （修正有）【課題】防湿性能を維持した振り出し容器並びに一度の振り出し量を可変にすることを可能とした振り出し容器を提供する。【解決手段】中蓋を有する円筒形容器において、上蓋並びに胴部に振り出し孔を設け、特に胴部の振り出し孔を中蓋底部より下方に形成することにより、中蓋を閉止状態で収納物を取り出すことを可能とした。また、固定筒状体と移動筒状体からなる可変定量振り出し設定部を胴部内部に設けたことにより、一度に振り出したい分量を可変にした定量振り出し容器。【選択図】図３
0003103661.tif 000002
【実用新案登録請求の範囲】
【請求項１】
円筒状の胴部と、この胴部の開口部を閉止する中蓋と、前記胴部の開口部に装着される円筒状の上蓋とを有し、前記胴部の側面であって前記中蓋が閉止状態にてこの中蓋の底面より下方に第１振り出し孔を形成し、前記上蓋の側面であってこの上蓋を前記胴部に装着した状態にて前記第１振り出し孔と合致するように第２振り出し孔を形成したことを特徴とする振り出し容器。
【請求項２】
前記第１振り出し孔は、互いに対向する位置に１個づつ合計２個形成したことを特徴とする請求項１記載の振り出し容器。
【請求項３】
前記胴部の内部にて前記第１振り出し孔に対向する位置から下方に沿って装着された固定筒状体と、この固定筒状体内部に摺動自在に装着された移動筒状体とを有し、前記移動筒状体の位置に応じて容器内部の収納物の振り出し量を可変にすることを特徴とする前記請求項１記載の振り出し容器。
【請求項４】
前記固定筒状体にはスリット並びにこのスリット下方に複数の凹部が突出形成されており、前記移動筒状体にはつまみ並びにこのつまみ下方に凸部が形成されており、前記つまみは前記スリットから突出していることを特徴とする前記請求項２記載の振り出し容器。
【考案の詳細な説明】
【技術分野】
【０００１】  本考案は、内部収納物を防湿状態に保持した振り出し容器に関する。
【背景技術】
【０００２】  茶葉を防湿状態で収納するいわゆる茶筒５０は、図５に示すように円筒状の胴部５１と、この胴部５１の開口部５２を閉止する中蓋５３と、胴部５１の開口部５２に装着される上蓋５４から構成されている。このような茶筒５０は通常金属の缶により製造されており、中蓋５３にて胴部５１の開口部５２を気密に閉止することで内部に収納された茶葉が湿気ることを防止している。【０００３】  また、七味唐辛子などの香辛料や調味料を収納する図６（ａ）（ｂ）に示す振り出し容器６０もよく知られている。すなわち、上部に開口部６１を有する円筒状の胴部６２と、この胴部６２に装着する上蓋６３から構成されている。図６（ａ）のように、胴部６２の開口部６１近傍には第１振り出し孔６４が形成されており、上蓋６３には第２振り出し孔６５が形成されている。このような振り出し容器６０においては、図６（ｂ）に示すように、上蓋６３を胴部６２に完全に装着した状態で、上蓋６３を左右に回転させることによって常時はずれている第１振り出し孔６４並びに第２振り出し孔６５が合致して内部の収納物を振り出すことが可能となる。【０００４】  一方、茶葉を含む各種粉体の定量を振り出す容器もいろいろと知られるところである。例えば、上面に振り出し口が設けられた円筒容器の振り出し口近傍に段違いの仕切り板構造を形成して茶葉粉粒体の定量を振り出せるようにした例もある（特許文献１参照）。更に、中蓋に多数のスリットが形成されており、主蓋に形成された突出部に多数の孔からなる振り出し口を有する定量振り出し容器も知られている（特許文献２参照）。
【特許文献１】  特開平９−２７２５７４号公報
【特許文献２】  特開２００１−３０１７９４号公報
【考案の開示】
【考案が解決しようとする課題】
【０００５】  図５に示した茶筒５０においては、特に内部に収納しておく茶葉を乾燥状態で保存しなければならず、このため胴部５１の開口部５２を中蓋５３で閉止して内部に湿気が入ることを防止している。このため、内部の茶葉を取り出す際には、その都度上蓋５４を外し、更に中蓋５３をもはずして胴部５１の開口部５２全体を開放したうえで内部の茶葉を取り出さなければならない。時間的に十分に余裕があるときにはこのような一連の取り出し動作を行うことは問題ないが、多数の客に対して給茶しなければならない飲食店などでは、この茶葉の取り出し動作には時間的にも体力的にも浪費が多く問題であった。さりとて、茶筒５０の上蓋５４並びに中蓋５３を外しておき胴部５１の開口部５２を常時開放状態で放置することは中の茶葉が湿気てしまい問題であった。【０００６】  図６に示した振り出し容器６０はよく知られた構造であるが、胴部６２と上蓋６３のみから構成されており、この容器６０に茶葉などの湿気を極端に嫌う物を収納する場合には振り出し孔から湿気が侵入してしまい、防湿上問題があった。【０００７】  また、特許文献１の定量振り出し容器においては、容器本体２の上面には振出口１１が常時開口した状態であって蓋体３を装着した状態であっても湿気が内部に入る問題があった。更に、この容器本体２から収納物を振り出す場合には、その都度蓋体３を取り外さなければならないため、給茶回数が多い飲食店などでは時間的にも体力的にも浪費が多く問題であった。この問題を解決するために上蓋を常時外しておくと、内部の収納物が湿気てしまう問題があった。特許文献２の定量振り出し容器においても同様な問題が発生する。【０００８】  また、特許文献１並びに２においては、振り出しの都度定量の収納物を取り出すことが可能であるが、振り出し量が一定であって、接客人数などに応じて振り出し量を増加させる場合には振り出し動作を何回か行わなければならず、振り出しのたびに容器を垂直にして定量を保持し振り出し、同様の動作を継続して行わなければならなかった。【０００９】  本考案は上記課題を解決するためになされたもので、防湿性能を維持した振り出し容器並びに一度の振り出し量を可変にすることを可能とした振り出し容器を提供することを目的とする。
【課題を解決するための手段】
【００１０】  本考案に係わる振り出し容器は、円筒状の胴部と、この胴部の開口部を閉止する中蓋と、前記胴部の開口部に装着される円筒状の上蓋とを有し、前記胴部の側面であって前記中蓋が閉止状態にてこの中蓋の底面より下方に第１振り出し孔を形成し、前記上蓋の側面であってこの上蓋を前記胴部に装着した状態にて前記第１振り出し孔と合致するように第２振り出し孔を形成したことを要旨とする。【００１１】  更に本考案に係わる振り出し容器は、前記第１振り出し孔を互いに対向する位置に１個づつ合計２個形成したことを要旨とする。【００１２】  更に本考案に係わる振り出し容器は、前記胴部の内部にて前記第１振り出し孔に対向する位置から下方に沿って装着された固定筒状体と、この固定筒状体内部に摺動自在に装着された移動筒状体とを有し、前記移動筒状体の位置に応じて容器内部の収納物の振り出し量を可変にすることを要旨とする。【００１３】  更に本考案に係わる振り出し容器は、前記固定筒状体にはスリット並びにこのスリット下方に複数の凹部が突出形成されており、前記移動筒状体にはつまみ並びにこのつまみ下方に凸部が形成されており、前記つまみは前記スリットから突出していることを要旨とする。
【考案の効果】
【００１４】  茶葉などの湿気を嫌う内容物を収納する中蓋を有する容器において、胴部並びに上蓋に振り出し孔を設けたことにより、上蓋、中蓋を都度取り外すことなく収納物を取り出すことができるようになった。また、胴部内部に可変定量振り出し設定部を設けたことにより、一度に振り出したい茶葉などの収納物の量を予め設定することで振り出し量を可変にすることが可能となった。
【考案を実施するための最良の形態】
【００１５】  以下に本考案に係わる振り出し容器の実施形態を図を参照して説明する。図１並びに図２は本考案に係わる一実施形態を茶筒を例に示したもので、図１は全体構成を示した図で、図２は分解状態を示した図である。茶筒１０は、円筒状の胴部１１と、この胴部１１の開口部１２を気密に閉止する中蓋１３と、胴部１１の開口部１２に装着される上蓋１４から構成されており、胴部１１の上部には互いに対向する位置に各１個づつ合計２個の第１振り出し孔１５が設けられ、上蓋１４には第２振り出し孔１６が設けられている。【００１６】  胴部１１の上部に設けられた第１振り出し孔１５は、胴部１１の開口部１２を中蓋１３で閉止した状態においても第１振り出し孔１５から内部の茶葉あるいは粉末茶が振り出すことが可能な位置に形成される。すなわち第１振り出し孔１５は、開口部１２に中蓋１３を装着した状態で、中蓋１３の底部直近ではあるが底部より下方位置に形成する。上蓋１４に設けられた第２振り出し孔１６は、上蓋１４を胴部１１に完全に装着した状態で胴部１１の第１振り出し孔１５と合致する位置に形成する。【００１７】  このような構成の茶筒１０にあっては、図１に示すように胴部１１に中蓋１３並びに上蓋１４を装着した状態で上蓋を矢印のように左右に回転させることにより、第１並びに第２振り出し孔１５、１６を合致させることにより内部の茶葉あるいは粉末茶を振り出すことを可能とし、両方の振り出し孔１５、１６をずらすことのよって内部の茶葉あるいは粉末茶を防湿状態で保存することができる。また、第１振り出し孔１５を対向する位置に各１個づつ合計２個形成したことにより、上蓋１４を少なくとも半回転させることで振り出し孔を合致させることが可能であって、速やかに茶葉を取り出すことができる。【００１８】  図３は本考案に係わる他の実施形態を茶筒３０を例に説明するための一部を切欠しかつ要部を誇張して示した図である。円筒状の胴部３１の開口部３２には中蓋３３が装着され内部を気密に閉止する。胴部３１の中蓋３３近傍には第１振り出し孔３４が形成されており、上蓋２９には第２振り出し孔３５が形成されている。このような構造は図１並びに図２にて説明した構成と同様である。【００１９】  さて、胴部３１の内面であって、第１振り出し孔３４に対向する位置には可変定量振り出し設定部３６が取り付けられている。この可変定量振り出し設定部３６は、一度に振り出したい茶葉などの収納物の量を予め設定することにより、振り出し量を可変にすることを可能としたものである。【００２０】  すなわち、第１振り出し孔３４に対向する位置で、上端が中蓋３３の底部に接するようにし、下端が下方に延在する略半円形で長形板からなる固定筒状体３７を胴部３１の内面に取り付ける。この固定筒状体３７の長手方向中央にはスリット３８が形成されている。また、スリット３８の下方には振り出し量設定用の複数の凹部３９ａ、３９ｂ、３９ｃが突出して形成されている。【００２１】  固定筒状体３７の内側には同じく略半円形で長形板からなる移動筒状体４０が装着されている。この移動筒状体４０の上部中央には位置設定つまみ４１が取り付けられており、この位置設定つまみ４１は固定筒状体３７のスリット３８へ���入され固定筒状体３７の外部へ引き出されている。また移動筒状体４０の位置設定つまみ４１の下方には振り出し量設定用の凸部４２が設けられている。この凸部４２は、固定筒状体３７の凹部３９ａ、３９ｂ、３９ｃに係合するように配置されており、移動筒状体４０の位置設定つまみ４１を上下させて希望の凹部３９ａ、３９ｂ、３９ｃに係合させ、固定筒状体３７の下端から下方へ突出する移動筒状体４０の寸法を調整するように機能する。【００２２】  移動筒状体４０に設けられた位置設定つまみ４１は、固定筒状体３７のスリット３８に沿って上下させることができる。位置設定つまみ４１を上下動させることのより、移動筒状体４０の凸部４２を固定筒状体３７の凹部３９ａ、３９ｂ、３９ｃの希望の位置に停止させることができ、再度位置を変更させるまでは、移動筒状体は設定位置に固定される。また、凸部４２を固定筒状体３７の最も下に設けられた凹部３９ｃへ係合させた状態では、移動筒状体４０の下端と胴部３１との間隔が最も小さくなり、最上部の凹部３９ａへ係合させた状態が最も間隔が大きくなる。【００２３】  図３には、移動筒状体４０が最も下方へ引き出された状態を示してある。この状態では、胴部３１を垂直の状態に設置しているときには、＊で示した茶葉は移動筒状体４０の直下では移動筒状体４０と胴部３１の底面との間隙４３に相当する量が置かれていることになる。【００２４】  次にこのような構成の可変定量振り出し設定部３６の機能について要部のみを示した図４を参照して説明する。図３の状態になっている茶筒３０の上蓋２９を回転させて第１振り出し孔３４並びに第２振り出し孔３５を合致させる。その後、図４のように茶筒３０を持って傾斜させると、胴部３１の中の茶葉＊の内、移動筒状体４０下方点線内にあった茶葉＊のみが移動筒状体４０並びに固定筒状体３７の内部を通って第１、第２振り出し孔３４、３５から外部へ振り出される。【００２５】  このようにして、移動筒状体４０の位置を調整することにより少量から多量の茶葉を希望に応じて茶筒３０の外部へ振り出すことが可能となった。この例では、振り出し量の調整を３段階行えるように構成したが、凹部３９の数を増やすことで更に多段階に調整することが可能である。また、固定筒状体３７並びに移動筒状体４０の形状を略半円形としたが、このほかに三角形あるいは四角形とすることも可能である。
【図面の簡単な説明】
【００２６】
【図１】  本考案に係わる第１の実施形態を示す構成図。
【図２】  図１の分解斜視図。
【図３】  本考案に係わる第２の実施形態を示す要部拡大構成図。
【図４】  本考案に係わる第２の実施形態の動作を説明するための要部拡大構成図。
【図５】  従来技術を説明するための構成図。
【図６】  他の従来技術を説明するための構成図。
【符号の説明】
【００２６】    １０、３０…茶筒
１１、３１…胴部
１２、３２…開口部
１３、３３…中蓋
１４、２９…上蓋
１５、３４…第１振り出し孔
１６、３５…第２振り出し孔
３７…固定筒状体
３８…スリット
３９ａ、３９ｂ、３９ｃ…凹部
４０…移動筒状体
４１…位置設定つまみ
４２…凸部
４３…間隙
【図１】
0003103661.tif 000003
【図２】
0003103661.tif 000004
【図３】
0003103661.tif 000005
【図４】
0003103661.tif 000006
【図５】
0003103661.tif 000007
【図６】
0003103661.tif 000008